(57)【要約】【課題】  従来の補助熱源付貯湯タンク給湯システムで温水暖房用の温水の加熱と給湯用の温水の供給が同時に行われる場合には、給湯時にも温水暖房用のための補助熱源機が常時駆動している状態となり、省エネルギー性に問題があった。【解決手段】  補助熱源付貯湯タンク給湯システム１は、補助熱源機１５の出口側で分流して入口側に戻る内部循環路と、貯湯タンク７０に貯留する湯水を補助熱源機１５の出口側から供給する給湯部と、補助熱源機１５を加熱源とし前記内部循環路により温水暖房装置５を間接加熱する暖房用温水供給部と、貯湯タンク内７０に貯留する湯水の温度が所定温度以上の場合は、補助熱源機１５の入口側で前記内部循環回路の合流箇所の上流側から補助熱源機１５を通過させずに前記補助熱源機の出口側で前記内部循環回路の分流箇所の下流側にバイパスする流路８１に切り換える切換手段８０とが設けられている。【選択図】図１
2012180962.tif 000002
【特許請求の範囲】
【請求項１】
下部にタンク給水管が、上部にタンク給湯管が配置され、外部熱源で緩加熱される貯湯タンクと、前記タンク給湯管の下流側で連接して前記貯湯タンクに貯留する湯水を補助的に加熱する補助熱源機と、前記補助熱源機の出口側で分岐して前記タンク給湯管と前記補助熱源機の入口側の間に戻る内部循環回路と、前記内部循環回路の途中に設けられた内部循環ポンプと、前記タンク給水管の途中で分岐し、前記内部循環ポンプの吸込み側に合流する迂回路と、前記迂回路の途中に設けられた電動弁と、前記貯湯タンクに貯留する湯水を前記補助熱源機の出口側から給湯用として供給する給湯部と、前記補助熱源機を加熱源とし前記内部循環ポンプを循環させることで熱交換器を介して暖房用及び／又は追焚き用に温水を供給する温水供給部と、前記補助熱源機の入口側で前記内部循環回路の合流箇所の上流側から前記補助熱源機を通過させずに前記補助熱源機の出口側で前記内部循環回路の分岐箇所の下流側にバイパスさせるバイパス流路とが設けられ、前記貯湯タンク内に貯留する湯水の温度が所定温度以上の場合は、前記バイパス流路に切り換える切換手段が設けられている補助熱源付貯湯タンク給湯システム。
【請求項２】
前記貯湯タンク内に貯留する湯水の温度が所定温度未満になり、前記切換手段で前記バイパス流路から前記補助熱源機を通過する流路に切り換える所定時間の間は、前記電動弁を開けて前記迂回路が連通するようする請求項１記載の補助熱源付貯湯タンク給湯システム。
【発明の詳細な説明】
【技術分野】
【０００１】
本発明は、コージェネレーション熱源、太陽熱熱源、ヒートポンプ熱源等の外部熱源を利用して緩加熱される貯湯タンクと、前記貯湯タンクに貯留する湯水を補助的に加熱する補助熱源機とを組み合わせ、給湯用と温水暖房用に利用可能な補助熱源付貯湯タンク給湯システムに関する。
【背景技術】
【０００２】
従来、補助熱源付貯湯タンク給湯システムにおいては、コージェネレーション給湯システム、ソーラーシステム、ヒートポンプ式給湯システム等の省エネルギーに優れたシステムで発生した温水を、消費される熱量と設備規模を最適な状態にして利用するために、一般的に６時間から半日くらいかけて一日に使用される熱量を貯湯タンクに蓄える方式とされていた。そのため、貯湯タンクで蓄熱できる温水の量はシステムの構成上、上限があり、貯湯タンクの加熱も利用する熱源の性質上、緩加熱であることから、温水の不足にはすぐに対応することができなかった。
【０００３】
このため、緩加熱される貯湯タンクの下流側に、液体燃料、気体燃料や電気ヒーター等を加熱源とした、熱交換器の保有水量が加熱源の熱量に比較して小さい急加熱式の補助熱源機を設けて、貯湯タンクに蓄熱されている温水の不足にすぐに対応できるシステムにする必要があった。
【０００４】
また、補助熱源付貯湯タンク給湯システムを温水暖房用や風呂の追焚き用に利用するものも考えられているが、温水暖房の利用は季節性があることで温水暖房まで貯湯タンクに蓄熱された温水で賄うようにするには設備の規模が膨大なものになることや、温水暖房で利用される温水は高温の温水を常に供給する必要があること等の理由により、貯湯タンクに蓄熱されている温水を積極的に利用するようにするシステムとはせずに、温水暖房に利用する温水はシステム内に設けた補助熱源機で高温に加熱した温水が利用されるシステムとなっていた。（特許文献１および特許文献２）
【先行技術文献】
【特許文献】
【０００５】
【特許文献１】特開２００３−２１３９２号公報
【特許文献２】特開２００４−５３０５４号公報
【発明の概要】
【発明が解決しようとする課題】
【０００６】
しかしながら、補助熱源付貯湯タンク給湯システムで、温水暖房用の温水の加熱及び／又は追焚き用の温水の加熱と、給湯用の温水の供給が同時に行われる場合には、給湯時にも温水暖房用の温水の加熱及び／又は追焚き用の温水の加熱のための補助熱源機が常時駆動している状態となり、補助熱源付貯湯タンク給湯システムが温水暖房用及び／又は追焚き用に利用されている時は、給湯に使用される温水も補助熱源機で加熱される温水が利用されることになっていた。そのため、本来給湯用に利用される省エネルギー性に優れた太陽熱等の外部熱源で加熱された貯湯タンク内の温水の利用率が低下して、省エネルギーという面からは問題があった。
【課題を解決するための手段】
【０００７】
上記の課題を解決するため、本発明では、次の技術的手段が講じられている。
【０００８】
第１発明の補助熱源付貯湯タンク給湯システムは、下部にタンク給水管が、上部にタンク給湯管が配置され、外部熱源で緩加熱される貯湯タンクと、前記タンク給湯管口の下流側で連接して前記貯湯タンクに貯留する湯水を補助的に加熱する補助熱源機と、前記補助熱源機の出口側で分岐して前記タンク給湯管と前記補助熱源機の入口側の間に戻る内部循環回路と、前記内部循環回路の途中に設けられた内部循環ポンプと、前記タンク給水管の途中で分岐し、前記内部循環ポンプの吸込み側に合流する迂回路と、前記迂回路の途中に設けられた電動弁と、前記貯湯タンクに貯留する湯水を前記補助熱源機の出口側から給湯用として供給する給湯部と、前記補助熱源機を加熱源とし前記内部循環ポンプを循環させることで熱交換器を介して暖暖房用及び／又は追焚き用に温水を供給する温水供給部と、前記補助熱源機の入口側で前記内部循環回路の合流箇所の上流側から前記補助熱源機を通過させずに前記補助熱源機の出口側で前記内部循環回路の分岐箇所の下流側にバイパスさせるバイパス流路とが設けられ、前記貯湯タンク内に貯留する湯水の温度が所定温度以上の場合は、前記バイパス流路に切換える切換手段が設けられている。
第２発明の補助熱源付貯湯タンク給湯システムは、請求項１記載の発明において、前記貯湯タンク内に貯留する湯水の温度が所定温度未満になり、前記切換手段で前記バイパス流路から前記補助熱源機を通過する流路に切換える所定時間の間は、前記電動弁を開けて前記迂回路が連通するようする。
【発明の効果】
【０００９】
以上のような、技術的手段が講じられていることにより、以下の効果を有する。
第１発明によれば、補助熱源機の入口側で内部循環回路の合流箇所の上流側から前記補助熱源機を通過させずに前記補助熱源機の出口側で前記内部循環回路の分岐箇所の下流側にバイパスさせるバイパス流路と、貯湯タンク内に貯留する湯水の温度が所定温度以上の場合は、前記バイパス流路に切換える切換手段が設けられていることで、温水暖房及び／又は追焚きの使用時でも、省エネルギー性に優れた貯湯タンク内の温水を、前記補助熱源機を通過させずに利用することができる効果を有する。
第２発明によれば、第１発明を利用し、貯湯タンク内に貯留する湯水の温度が所定温度未満になり、切換手段でバイパス流路から補助熱源機を通過する流路に切換える所定時間の間は、電動弁を開けて迂回路が連通するようすることで、貯湯タンク内の温水温度が低下し、補助熱源機に切換える場合の切換手段の作動により発生する給湯が一時的に止まる現象をなくす効果を有することができる。
【図面の簡単な説明】
【００１０】
【図１】本発明に係る補助熱源付貯湯タンク給湯システムの概略説明図である。
【図２】本発明に係る補助熱源付貯湯タンク給湯システムの貯湯タンクだけの給湯運転が行われる場合の動作説明図である。
【図３】本発明に係る補助熱源付貯湯タンク給湯システムの貯湯タンクだけから補助熱源機が追加される給湯運転に切換える場合の動作説明図である。
【図４】本発明に係る補助熱源付貯湯タンク給湯システムの補助熱源機が追加された給湯運転が行われる場合の動作説明図である。
【図５】本発明に係る補助熱源付貯湯タンク給湯システムの暖房運転が行われる場合の動作説明図である。
【図６】本発明に係る補助熱源付貯湯タンク給湯システムの給湯運転と暖房運転が同時に行われ、貯湯タンクだけの給湯運転が行われる場合の動作説明図である。
【図７】本発明に係る補助熱源付貯湯タンク給湯システムの給湯運転と暖房運転が同時に行われ、貯湯タンクだけから補助熱源機が追加される給湯運転に切換える場合の動作説明図である。
【図８】本発明に係る補助熱源付貯湯タンク給湯システムの給湯運転と暖房運転が同時に行われ、補助熱源機が追加された給湯運転が行われる場合の動作説明図である。
【図９】本発明に係る別の実施例の補助熱源付貯湯タンク給湯システムの概略説明図である。
【発明を実施するための形態】
【００１１】
発明を実施するための形態について図１乃至図８に基づき具体的に説明する。
【実施例１】
【００１２】
（概略の構成）
図１に示す実施例１の補助熱源付貯湯タンク給湯システム１は、外部熱源９０で緩加熱される貯湯タンク７０と補助熱源機１５とを組み合わせたシステムである。外部熱源９０とは、例えば、太陽熱熱源、ヒートポンプ式熱源及びコージェネレーション熱源等のように、使用される給湯設備の規模により、発生する時間当たりの熱量を小さいものとして、発生した小さい熱量をゆっくりと温水に熱交換して貯湯タンク７０に蓄熱するものである。ここで、太陽熱熱源、ヒートポンプ式熱源およびコージェネレーション熱源について説明する。
【００１３】
太陽熱熱源による方法とは、日射を受けやすい南向きの屋根等に設置した集熱板（ソーラーパネル）内を水や熱媒体（例えば、プロピレングリコール等の不凍液に防錆剤を添加した液）を自然に、または強制的に循環させることにより、循環する水や熱媒体で貯湯タンク７０内の水をゆっくりと昇温させて蓄熱するものである。
【００１４】
ヒートポンプ式熱源による方法とは、代替フロンや二酸化炭素等の冷媒を圧縮機で圧縮して、冷媒が凝縮する際に発生する熱を利用するものであり、電気温水器と異なり、冷媒を循環させることで大気の熱を移動することができるので、投入する電気エネルギー以上の熱エネルギーを利用できる熱源のことである。冷凍サイクルの凝縮器で発生する熱を受ける熱交換器内を水や熱媒体を強制的に循環させることにより、循環する水や熱媒体で貯湯タンク７０内の水をゆっくりと昇温させて蓄熱するものである。
【００１５】
コージェネレーション熱源による方法とは、発電時に発生する熱を利用するものである。コージェネレーション熱源は、一般的には熱電併給システムと称呼されており、発電方法としては、燃料電池方式やガスや液体燃料等を燃料とするエンジン方式がある。いずれの場合も発電時においては熱が発生し、発電時の熱をコージェネレーション熱源の外部又は内部に設けられ発電部の熱を受ける熱交換器（ウォータージャケット）内を水や熱媒体を強制的に循環させることにより、循環する水や熱媒体で貯湯タンク内７０の水をゆっくりと昇温させて蓄熱するものである。
【００１６】
これらの太陽熱熱源、ヒートポンプ式熱源およびコージェネレーション熱源等の外部熱源を図１においては簡略して外部熱源９０として説明している。そして、外部熱源９０内の外部熱源熱交換器９１が、太陽熱熱源の場合は集熱板であり、ヒートポンプ式熱源の場合は凝縮器で発生する熱を受ける熱交換器であり、コージェネレーション熱源の場合は発電部の熱を受ける熱交換器に該当する。また、外部熱源熱交換器９１には貯湯タンク７０の下部を結ぶ外部熱源循環往き管９３と、貯湯タンク７０の上部を結ぶ外部熱源循環戻り管９４が連接されており、外部熱源循環往き管９３の途中に設けられた外部熱源循環ポンプ９２を循環手段として、貯湯タンク７０、外部熱源循環往き管９３、外部熱源熱交換器９１、外部熱源循環戻り管９４から貯湯タンク７０に戻る循環回路が形成されている。
【００１７】
なお、外部熱源熱交換器９１内を通過する液体がプロピレングリコール等の不凍液を用いる場合には、貯湯タンク７０内に熱交換器を設けて、貯湯タンク７０内に貯留する湯水を間接的に加熱する方法をとる。
【００１８】
そして補助熱源付貯湯タンク給湯システム１では、この外部熱源９０により加熱された温水を蓄熱している貯湯タンク７０と、温水の使用量の変化に適切に対応できる補助熱源１５以外にも制御基板１０、内部循環ポンプ３０、暖房用熱交換器６０、三方弁８０等を有して給湯、暖房、湯張りおよび追焚きに利用できるようにしている。制御基板１０は、内部にＣＰＵを有しており予めプログラムされた内容により補助熱源付貯湯タンク給湯システム１の内部に有する温度センサーや水量センサー等の検知機器の検知信号に対応して燃焼機２３、内部循環ポンプ３０や追焚き循環ポンプ４３等の電源供給が必要な装置の駆動を制御している。補助熱源付貯湯タンク給湯システム１の外部には温水水栓４、温水床暖房装置や温水式エアーコンディショナー等の温水暖房装置５、浴槽６が補助熱源付貯湯タンク給湯システム１の外装に設けられた外部配管接続口に各種の外部配管を介して接続されている。
【００１９】
また、補助熱源付貯湯タンク給湯システム１の外部にはリモコン１１が設けられている。リモコン１１は補助熱源付貯湯タンク給湯システム１の制御基板１０との間を有線または無線等により電気や光等の信号での通信を行うことで、使用者が補助熱源付貯湯タンク給湯システム１の各種機能の設定が可能なスイッチと、その設定状況や補助熱源付貯湯タンク給湯システム１の運転状況を確認できる表示部を有している。
【００２０】
（貯湯タンク）
貯湯タンク７０は、外部熱源９０で緩加熱されることを前提とし、概ね家庭における一日の給湯量を供給できる程度の容量を想定して選定される。貯湯タンク７０は、強度上及び製造上の利点より一般的に円筒形の形状となっている。貯湯タンク７０には下部に給水接続口があり、これにタンク給水管７１が接続されている。タンク給水管７１の途中には減圧弁７８が設けられており、貯湯タンク７０に減圧された水道水が供給されている。また、タンク給水管７１の途中の減圧弁７８の下流側には給水水量センサー７９が設けられており、貯湯タンク７０から貯留する湯水が外部に供給されたとき、水道水が給水されていることを検知している。なお、図示されてないが、貯湯タンク７０の適当な場所には貯湯タンク７０に過大な圧力が加わった場合に圧力を逃がす逃し弁が設けられている。貯湯タンク７０の上部には給湯接続口があり、タンク給湯管７２が設けられており、タンク給湯管７２は三方弁８０を介して後述の給湯熱交給水管２１及びバイパス管８１と連接されている。
【００２１】
（補助熱源機）
補助熱源機１５の熱交換器部は、給湯用熱交換器２０の受熱部と追焚き用熱交換器４０の受熱部が燃焼機２３で直列的に同時に加熱される所謂一缶二水路の熱交換器となっている。給湯用熱交換器２０と追焚き用熱交換器４０は熱伝導性の良い銅やステンレス鋼等の金属のパイプの周囲に、銅やステンレス鋼等の金属のフィンを設けて熱交換率を向上させたものとなっている。なお、熱交換器部の排気側にさらに潜熱回収用の熱交換器を設けて補助熱源機１５の熱効率を上げることも可能である。
【００２２】
給湯用熱交換器２０には通水される湯水の入口となる給湯熱交給水管２１と、出口となる給湯熱交給湯管２２が接続されている。また、給湯熱交給水管２１には、上流側から水量センサー２４と給水温度センサー２５が、給湯熱交給湯管２２には給湯用熱交換器２０の通過加熱後の水温を検知する給湯温度センサー２７が設けられている。また、給湯用熱交換器２０の外部金属部表面には給湯用熱交換器２０と追焚き用熱交換器４０の過熱を検知する缶体温度センサー２６が設けられている。追焚き用熱交換器４０には、追焚き循環往き管４１と追焚き循環戻り管４２が接続されている。
【００２３】
燃焼機２３は、天然ガス（ＬＮＧ）やプロパンガス（ＬＰＧ）等の気体燃料や、灯油や重油等の液体燃料を給気側送風機により比較的狭い燃焼室内において高い発熱量を発生させることができ、かつ発熱量が所定の範囲で無段階に調節できる燃料制御手段を有している。そして、燃焼機２３が燃焼することによって発生する燃焼熱と、給湯用熱交換器２０の流路と追焚き用熱交換器４０の流路に通水された湯水が熱交換されて急加熱される。なお、燃焼機２３は電気ヒーターにより急加熱する方法とすることも可能である。
【００２４】
（切換手段）
切換手段として三方弁８０がタンク給湯管７２と給湯熱交給水管２１及びバイパス管８１との連接する部分に設けられている。三方弁８０にはタンク給湯管７２が接続する接続口Ｃ８０ｃと、給湯熱交給水管２１が接続する接続口Ａ８０ａと、補助熱源機１５のバイパス流路となるバイパス管８１が接続する接続口Ｂ８０ｂとの三つの接続口８０ａ、８０ｂ、８０ｃを有している。三方弁８０は電気的な駆動手段を有しており、制御基板１０が制御することでタンク給湯管７２と給湯熱交給水管２１が連接する流路と、タンク給湯管７２とバイパス管８１が連接する流路に切換えることができるようになっている。バイパス管８１の三方弁８０と連接する側と反対側の端は給湯熱交給湯管２２と連接されている。
【００２５】
（内部循環回路）
給湯熱交給湯管２２には給湯温度センサー２７が設けられた箇所と、バイパス管８１が連接されている箇所の間で、内部循環往き管２８の分岐部が設けられている。また、給湯熱交給水管２１の途中には、内部循環戻り管２９の合流部が設けられている。内部循環戻り管２９の途中には内部循環ポンプ３０が設けられており、内部循環ポンプ３０を循環手段として給湯用熱交換器２０、給湯熱交給湯管２２、内部循環往き管２８、暖房用熱交換器６０、内部循環戻り管２９、給湯熱交給水管２１から給湯用熱交換器２０に戻る内部循環回路が形成されている。
【００２６】
（迂回路）
タンク給水管７１の減圧弁７８の下流側には貯湯タンク７０の迂回路となる迂回管８５の分岐部が設けられており、迂回管８５のタンク給水管７１と連接する側の反対側の端は内部循環戻り管２９の内部循環ポンプ３０の吸込み側に設けられた合流部と連接されている。迂回管８５の途中には電動弁８６が設けられている。電動弁８６は電気的な駆動手段を有しており、制御基板１０が制御することで迂回路８５の流路の開閉を切換えることができるようになっている。なお、電動弁８６は流路の開閉だけではなく、流路の流量調節が可能な流量調節弁としても良い。
【００２７】
（給湯機構）
補助熱源付貯湯タンク給湯システム１の以上のような構成において、水道水が加熱されて温水水栓４に供給されるまでの給湯機構、特に複数ある給湯流路について説明する。補助熱源付貯湯タンク給湯システム１の基本の給湯流路は、減圧弁７８で減圧された水道水が、タンク給水管７１、貯湯タンク７０、タンク給湯管７２、三方弁８０、給湯熱交給水管２１、補助熱源機１５の給湯用熱交換器２０、給湯熱交給湯管２２を経由して温水水栓４までの流路である。そして前記基本の給湯流路には以下の３つの基本の給湯流路から分離する流路が設けられている。第一の分離する流路は、給湯熱交給湯管２２から分岐して、内部循環往き管２８、暖房用熱交換器６０、内部循環戻り管２９、給湯熱交給水管２１に戻る内部循環回路である。第二の分離する流路は、タンク給湯管７２の三方弁８０で分岐してバイパス管８１で給湯熱交給湯管２２に接続するバイパス流路である。第三の分離する流路は、タンク給水管７１で分岐して迂回管８５を経由して内部循環戻り管２９に接続する迂回路である。なお、給湯熱交給湯管２２には温度センサーが組み込まれた温水混合機構３９が設けられており、温水混合機構３９に組み込まれた温度センサーの測定値を基に制御基板１０が、温水混合機構３９を制御して水道水と温水を混合させて給湯温度を調節できる。このため、温水混合機構３９にはタンク給水管７１から分岐した給水分岐管３８が接続されている。
【００２８】
（追焚き機構）
追焚き機構を説明すると、追焚き循環往き管４１と追焚き循環戻り管４２は外部の配管を経由して浴槽６に設けられた循環接続金具７に連接されている。また、追焚き循環戻り管４２の途中には、追焚き温度センサー４４と追焚き水流スイッチ４５が設けられており、追焚き循環往き管４１の途中には追焚き循環ポンプ４３が設けられている。これにより、追焚き循環ポンプ４３を循環手段として、追焚き用熱交換器４０、追焚き循環往き管４１、循環接続金具７、浴槽６、循環接続金具７、追焚き循環戻り管４２から、再び追焚き用熱交換器４０に戻る追焚き循環回路が形成されている。
【００２９】
（湯張り機構）
湯張り機構を説明すると、給湯熱交給湯管２２の温水混合機構３９の下流側において、湯張り路３２が分岐しており、追焚き循環戻り管４２の循環接続金具７と追焚き温度センサー４４の間に連接している。湯張り路３２の途中には、湯張り弁３１、湯張り水量センサー３６および逆流防止手段３７が設けられている。
【００３０】
（暖房機構）
暖房機構は暖房用熱交換器６０を介して補助熱源機１５の給湯用熱交換器２０で加熱される温水を熱源として温水暖房装置５に供給している。給湯用熱交換器２０で作られた湯は温水水栓４で衛生的に使用される必要があるので、暖房用熱交換器６０を介して温水暖房装置５を加熱するようにしている。暖房用温水と混ざらないよう暖房用熱交換器６０には二つの循環回路が接続され、二つの循環回路の間で熱交換するようになっている。
【００３１】
一方の循環回路は前述の内部循環回路であり、内部循環回路により加熱される側のもう一方の循環回路が、暖房循環ポンプ６４を駆動源として、暖房用熱交換器６０、暖房循環往き管６１、温水暖房装置５、暖房循環戻り管６２そして、再び暖房用熱交換器６０に戻る暖房循環回路である。暖房循環回路の循環流体は単に水でも良いが、好ましくは設置場所や構成部材の選択の巾が広がるプロピレングリコール等の不凍液に防錆剤を添加した液を用いる。暖房循環往き管６１には循環流体の温度を検出する温度センサー６５が設けられている。
【００３２】
なお、図中において、暖房循環ポンプ６４は暖房循環戻り管６２の途中に設けているが、暖房循環往き管６１の側に設けてもよい。また、暖房循環往き管６１と暖房循環戻り管６２の補助熱源付貯湯タンク給湯システム１の外部に設けられる部分は外部配管により構成される。暖房循環回路の途中には、循環流体の膨張、つまりは圧力上昇を吸収する為の膨張タンク６６と説明を簡略にするために図示を省略しているが循環流体の補給のための補給用管を設けている。
【００３３】
補助熱源付貯湯タンク給湯システム１のこれらの機構において、燃焼機２３の送風機や燃料制御手段による燃焼の開始、燃焼量の調節及び燃焼の停止や、内部循環ポンプ３０、湯張り弁３１、湯水混合機構３９、追焚き循環ポンプ４３、暖房循環ポンプ６４、三方弁８０等の駆動は、制御基板１０により制御されている。水量センサー２４や湯張り水量センサー３６、給水水量センサー７９は通過する流量を検知し、追焚き水流スイッチ４５は循環したことを検知し、給水温度センサー２５、缶体温度センサー２６、給湯温度センサー２７、追焚き温度センサー４４、タンク温度センサー７４〜７７は通過する液体等の温度を検知することができる。前記検知された流量や温度等は、パルスや電圧値等の信号として制御基板１０に入力されることで制御基板１０において対応する流量や温度等として判断される。
【００３４】
（貯湯タンクの蓄熱運転）
外部熱源９０がコージェネレーションシステムの場合を例として、貯湯タンク７０に蓄えられた水を外部熱源９０で加熱する方法を説明する。外部熱源熱交換器９１と貯湯タンク７０は外部熱源循環ポンプ９２を循環手段として外部熱源循環往き管９３と外部熱源循環戻り管９４で循環回路が形成されている。外部熱源循環ポンプ９２を駆動させて、貯湯タンク７０の下部から貯湯タンク７０内に貯留する水を取り出し、外部熱源熱交換器９１で加熱された後、貯湯タンク７０の上部に戻すことで、貯湯タンク７０内部の貯留水は加熱される。外部熱源循環ポンプ９２は外部熱源循環往き管９３の途中に設けられているが、外部熱源循環戻り管９４の途中に設けるようにしても良い。
【００３５】
貯湯タンク７０内部の水温は貯湯タンク７０の高さ方向によりばらつきがあるため、貯湯タンク７０の高さ方向の異なる位置に数個のタンク温度センサー７４、７５、７６、７７が設けられ、外部熱源熱交換器９１には循環する水温を検知する外部熱源熱交温度センサー９５が設けられており、これら温度センサーで検知する温度は対応する電圧等の信号により制御基板１０に出力されている。
【００３６】
制御基板１０は、タンク温度センサー７４、７５、７６、７７で貯湯タンク７０の各部の温度と、外部熱源熱交換器９１内の水温を外部熱源熱交温度センサー９５で常時検知している。発電の開始により外部熱源熱交換器９１内の水温が上昇し、貯湯タンク７０内の水を外部熱源循環ポンプ９２で循環させても外部熱源熱交換器９１で昇温可能な場合、例えば、外部熱源熱交換器９１の水温と貯湯タンク７０内の水温との温度差が所定の温度差（例えば５ｄｅｇ）以上あると制御基板１０が判断した場合には、外部熱源循環ポンプ９２で循環させる。
【００３７】
その後、外部熱源熱交換器９１の水温と貯湯タンク７０内の水温との温度差が所定の温度差（例えば２ｄｅｇ）未満であることを制御基板１０が判断すると、外部熱源循環ポンプ９２に制御基板１０が駆動電力を出力することを中止し、外部熱源循環ポンプ９２は停止する。外部熱源循環ポンプ９２の駆動が継続することにより、貯湯タンク７０の内部においては、貯湯タンク７０の下部に貯留する水が温められて貯湯タンク７０の上部に戻されることになる。これにより、貯湯タンク７０内部に貯留する湯水は貯湯タンク７０内の上部から順に昇温し、貯湯タンク７０に貯留する湯水全体が昇温する。そして、貯湯タンク７０の内部においては貯湯タンク７０の上部から加熱された温水が下方に向かって成層貯湯方式で貯留される。
【００３８】
（給湯運転）
給湯運転について図２から図４を用いて説明する。制御基板１０は貯湯タンク７０上部の貯留水の水温をタンク温度センサー７４で常時検知しており、タンク温度センサー７４で検知する温度がリモコン１１で設定された温度より所定温度（例えば、４ｄｅｇ）以上高ければ、貯湯タンク７０内の温水で給湯運転が可能であると判断して、三方弁８０の接続口Ｃ８０ｃと接続口Ｂ８０ｂが連通する状態にしている。外部の温水水栓４が開かれると、給水水量センサー７９の信号により制御基板１０は温水水栓４が開かれたことで給湯運転中であると判断する。貯湯タンク７０には、減圧弁７８により減圧された給水圧が加わっており、この給水圧により、蓄熱運転により加熱された貯湯タンク７０内部の温水は、貯湯タンク７０、タンク給湯管７２、バイパス管８１、給湯熱交給湯管２２を経由して温水水栓４に供給される（図２を参照）。
【００３９】
タンク温度センサー７４で検知する温度がリモコン１１で設定された温度から所定温度未満の温度差になった場合には、制御基板１０は補助熱源機１５での加熱が必要であると判断し、三方弁８０の接続口Ｃ８０ｃと接続口Ｂ８０ｂが連通している状態から、接続口Ｃ８０ｃと接続口Ａ８０ａが連通している状態に切換える。この三方弁８０を切換える所定の時間の間、制御基板１０は電動弁８６を開いて、迂回路８５から内部循環回路に減圧された水道水を供給する（図３を参照）。所定の時間とは三方弁８０が切換わるまでに必要な時間のことであり、三方弁８０の切換え時間を実測した上で実測値に余裕値を追加して決定される。迂回路８５から水道水が供給されることで、三方弁８０が切換わる際の給湯運転の一時的な断水や湯量の変化が防止される。三方弁８０が切換わったころを見計らって電動弁８６は閉じられる。
【００４０】
その後、貯湯タンク７０内の温度が低下した湯水は、タンク給湯管７２、給湯熱交給水管２１を通り、補助熱源機１５で加熱された後、給湯熱交給湯管２２を経由して温水水栓４に供給される（図４を参照）。なお、タンク温度センサー７４で温度検出するかわりにタンク給湯管７２やバイパス管８１に温度センサーを設け、この検出温度で三方弁８０の切換えタイミングの判定も可能である。
【００４１】
給湯運転中に補助熱源機１５を湯水が通過する状態になり、水量センサー２４が湯水の流れを検知する場合には、制御基板１０は内部循環ポンプ３０を駆動するように出力する。また、給湯運転の停止動作は、制御基板１０は温水水栓４が閉じられたことを給水水量センサー７９の検知する湯水の流量の減少を検知して給湯運転を停止すると判断し、補助熱源機１５が加熱をしている場合は加熱を停止させ、内部循環ポンプ３０が駆動している場合は、補助熱源機１５の停止から所定時間（実施の形態では約５分間）遅らせて内部循環ポンプ３０を停止させる。
【００４２】
この給湯運転の具体的な一例としては、使用者がリモコン１１で設定した設定温度を６０℃とした場合に、この設定温度の６０℃からタンク温度センサー７４で検知する水温が４℃以上高い場合（６４℃以上ある場合）には、補助熱源機１５を通過させずにバイパス管８１を通過させるように制御基板１０は判断する。そして、温水混合機構３９へは貯湯タンク７０内の温水がそのまま供給される。温水混合機構３９には給水分岐管３８が連通しており、温水混合機構３９で設定温度になるように、温水に水道水を混合させ、６０℃の温水を温水水栓４へ供給する。
【００４３】
また、タンク温度センサー７４で検知する水温が設定温度の６０℃から４℃高い温度未満となった場合（６４℃未満になった場合）には、制御基板１０は三方弁８０の接続口Ｃ８０ｃと接続口Ａ８０ａが連通している状態として補助熱源機１５の燃焼機２３の燃焼を開始するように出力し、設定温度の６０℃を燃焼機２３の目標温度とし、給湯温度センサー２７で給湯熱交給湯管２２の水温を検知して燃焼機２３の燃焼量と温水混合機構３９を調節する。燃焼機２３の最低燃焼量に調節したとしても給湯温度が設定温度より高温である場合は温水混合機構３９で給水分岐管３８からの水道水を混合させ、６０℃の設定温度にして温水水栓４へ供給する。
【００４４】
（湯張り運転）
湯張り運転の動作について説明する。使用者がリモコン１１で湯張り運転をするよう入力した場合には、制御基板１０は湯張り弁３１を開くように制御する。制御基板１０は貯湯タンク７０上部の貯留水の水温をタンク温度センサー７４で常時検知しており、タンク温度センサー７４で検知する温度がリモコン１１で設定された温度から所定温度（例えば、４ｄｅｇ）以上の温度差があれば、貯湯タンク７０内の温水で湯張り運転が可能であると判断して、三方弁８０の接続口Ｃ８０ｃと接続口Ｂ８０ｂが連通する状態にしている。貯湯タンク７０には、減圧弁７８により減圧された給水圧が加わっており、この給水圧により、蓄熱運転により加熱された貯湯タンク７０内部の温水は、貯湯タンク７０、タンク給湯管７２、バイパス管８１、給湯熱交給湯管２２、湯張り弁３１を通過して湯張り路３２に供給される（図２を参照、図２の温水水栓４ではなく循環接続金具７から湯が浴槽６に張られる）。
【００４５】
タンク温度センサー７４で検知する温度がリモコン１１で設定された温度から所定温度未満の温度差になった場合には、制御基板１０は補助熱源機１５での加熱が必要であると判断し、三方弁８０の接続口Ｃ８０ｃと接続口Ｂ８０ｂが連通している状態から、接続口Ｃ８０ｃと接続口Ａ８０ａが連通している状態に切換える。この三方弁８０を切換える所定の時間の間、制御基板１０は電動弁８６を開いて、迂回路８５から内部循環回路に減圧された水道水を供給する（図３を参照、図３の温水水栓４ではなく循環接続金具７から湯が浴槽６に張られる）。所定の時間とは三方弁８０が切換わるまでに必要な時間のことであり、三方弁８０の切換え時間を実測した上で実測値に余裕値を追加して決定される。迂回路８５から水道水が供給されることで、三方弁８０が切換わる際の湯張り運転の一時的な断水や湯量の変化が防止される。三方弁８０が切換わったころを見計らって電動弁８６は閉じられる。
【００４６】
貯湯タンク７０内の温度が低下した湯水は、タンク給湯管７２、給湯熱交給水管２１を通り、補助熱源機１５で加熱された後、給湯熱交給湯管２２を経由して湯張り弁３１を通過し、湯張り路３２に供給される（図４を参照。但し図４の温水水栓４ではなく循環接続金具７から湯が浴槽６に張られる）。なお、タンク温度センサー７４で温度検出するかわりにタンク給湯管７２やバイパス管８１に温度センサーを設け、この検出温度で三方弁８０の切換えタイミングの判定も可能である。
【００４７】
湯張り運転中に補助熱源機１５を湯水が通過する状態になり、水量センサー２４が湯水の流れを検知する場合には、制御基板１０は内部循環ポンプ３０を駆動するように出力する。また、湯張り運転の停止動作は、リモコン１１で設定されている湯張り量になったと湯張り水量センサー３６が検知すると制御基板１０は湯張り弁３１を閉じさせ、給水水量センサー７９が湯張り弁３１を閉じたことを確認して、補助熱源機１５が加熱をしている場合は加熱を停止させ、内部循環ポンプ３０が駆動している場合は、補助熱源機１５の停止から所定時間（実施の形態では約５分間）遅らせて内部循環ポンプ３０を停止させる。
【００４８】
この湯張り運転の具体的な一例としては、使用者がリモコン１１で設定した設定温度を４２℃とした場合に、この設定温度の４２℃からタンク温度センサー７４で検知する水温が４℃以上高い場合（４６℃以上ある場合）には、補助熱源機１５を通過させずにバイパス管８１を通過させるように制御基板１０は判断する。そして、温水混合機構３９へは貯湯タンク７０内の温水がそのまま供給される。温水混合機構３９には給水分岐管３８が連通しており、温水混合機構３９で設定温度になるように、温水に水道水を混合させ、水道水を混合させた４２℃の温水を湯張り路３２へ供給する。
【００４９】
また、タンク温度センサー７４で検知する水温が設定温度の４２℃から４℃高い温度未満となった場合（４６℃未満になった場合）には、制御基板１０は三方弁８０の接続口Ｃ８０ｃと接続口Ａ８０ａを連通させて補助熱源機１５の燃焼機２３の燃焼を開始するように出力し、設定温度の４２℃を燃焼機２３の目標温度とし、給湯温度センサー２７で給湯熱交給湯管２２の水温を検知して燃焼機２３の燃焼量と温水混合機構３９を調節する。制御基板１０が燃焼機２３の最低燃焼量に調節したとしても湯張り温度が調節できない場合は温水混合機構３９で給水分岐管３８からの水道水を混合させ、４２℃の設定温度にして湯張り路３２へ供給する。
【００５０】
（暖房運転）
暖房運転の動作について図５を用いて説明する。使用者がリモコン１１で暖房するよう入力した場合には、制御基板１０は暖房循環ポンプ６４と内部循環ポンプ３０に出力して駆動させる。制御基板１０は暖房温度センサー６５で暖房循環回路の液温と、給湯温度センサー２７で内部循環回路の水温を検知する。給湯温度センサー２７の検知水温が制御基板１０内において設定されている暖房時に必要となる設定温度（例えば、７５℃）未満の場合は、制御基板１０は燃焼機２３の燃焼を開始させ、給湯温度センサー２７で設定温度になるように燃焼量を調節しつつ燃焼を継続させる。温水暖房装置５の負荷にもよるが、温水暖房装置５の負荷が燃焼機２３の最大燃焼量に熱効率を掛けた値となる最大暖房負荷未満であれば、暖房循環回路を循環する液温は上昇し、暖房温度センサー６５で所定温度（例えば、７５℃）を検知すれば制御基板１０は燃焼機２３の燃焼量を少なくし、最小燃焼量にしても前記所定温度を超えるようであれば燃焼を停止させ、内部循環ポンプ３０及び暖房循環ポンプ６４の駆動は燃焼の停止に係わらず継続するよう出力する。
【００５１】
その後、暖房温度センサー６５で暖房循環回路を循環する液温が所定温度よりやや低い温度（例えば、６５℃）未満を検知した場合は、制御基板１０は燃焼機２３を燃焼させる。使用者がリモコン１１で暖房の中止を入力した場合には、制御基板１０は燃焼機２３の燃焼を停止させ、停止後所定時間（実施の形態では約５分間）経過後に、内部循環ポンプ３０及び暖房循環ポンプ６４の駆動を停止させ、暖房運転を終了させる。
【００５２】
（追焚き運転）
風呂追焚き運転の動作について説明する。使用者がリモコン１１で風呂追焚きするよう入力した場合には、制御基板１０は追焚き循環ポンプ４３を駆動させる。追焚き循環ポンプ４３を駆動させた場合に、追焚き水流スイッチ４５が所定時間（実施の形態では５秒間）連続してＯＮ状態となっている場合には、制御基板１０は燃焼機２３の燃焼を開始させ、追焚き温度センサー４４の温度情報の元、リモコン１１で設定された追焚き温度まで燃焼を継続させる。追焚き水流スイッチ４５が所定時間（実施の形態では５秒間）連続してＯＮ状態とならない場合は、浴槽６に湯水が入ってないと判断し燃焼を開始せず、リモコン１１に警報の表示を行って追焚き運転を中止する。
【００５３】
（複合運転の原則）
各運転を複合して行う要求がある場合には、複合して運転させることが原則である。ただし、燃焼機２３の能力の上限を超える場合即ち、制御基板１０が各部の温度センサーで所望の温度上昇が見られないと判断した場合には、休止可能な追焚き運転、湯張り運転、暖房運転を一時休止させ、燃焼機２３の燃焼能力に余裕が出てきた場合に再開させる。
【００５４】
（給湯運転と暖房運転が複合して行われる場合）
給湯運転と暖房運転が複合して行われる場合について図５から図８を用いて説明する。
暖房運転中（図５を参照）に給湯運転が開始する場合には、制御基板１０は給水水量センサー７９で温水水栓４が開かれたことを検知して、暖房運転が継続中であり同時に給湯運転を開始する必要があることを判断する。タンク温度センサー７４がリモコン１１の給湯設定温度より所定温度以上の場合には、暖房用熱交換器６０を介して温水暖房装置５を加熱している補助熱源機１５を通過させずにバイパス管８１で温水混合機構３９の上流までタンク給湯管７２の温水を供給して温水混合機構３９で適温に調整した後に温水水栓４に供給する（図６を参照）。タンク温度センサー７４がリモコン１１の給湯設定温度未満の場合には、温水暖房装置５を加熱している補助熱源機１５を通過させ温水混合機構３９で適温に調整した後に温水水栓４に供給する（図８を参照）。
【００５５】
タンク温度センサー７４がリモコン１１の給湯設定温度より所定温度以上の場合の給湯運転中（図２を参照）に暖房運転が開始する場合には、制御基板１０は使用者がリモコン１１で暖房するよう入力したことを検知すると、補助熱源機１５での加熱温度を暖房用の加熱温度に変更し、暖房循環ポンプ６４を駆動して暖房運転が可能なように準備を開始する。これにより、暖房用熱交換器６０を介して温水暖房装置５を加熱している補助熱源機１５を通過させずにバイパス管８１で温水混合機構３９の上流までタンク給湯管７２の温水を供給して温水混合機構３９で適温に調整した後に温水水栓４に供給する（図６を参照）。
【００５６】
給湯運転と暖房運転が同時に行われている状態で、貯湯タンク７０だけの給湯運転の場合に、タンク温度センサー７４で検知する温度がリモコン１１で設定された温度から所定温度未満の温度差しかない温度を検知した場合には、制御基板１０は貯湯タンク７０の温水が湯切れしたものと判断して、三方弁８０の接続口Ｃ８０ｃと接続口Ｂ８０ｂが連通する状態から、接続口Ｃ８０ｃと接続口Ａ８０ａが連通している状態に切換える。この三方弁８０を切換える所定の時間の間、制御基板１０は電動弁８６を開いて、迂回路８５から内部循環回路に減圧された水道水を供給する（図７を参照）。所定の時間とは三方弁８０が切換わるまでに必要な時間のことであり、三方弁８０の切換え時間を実測した上で実測値に余裕値を追加して決定される（例えば、５秒間）。迂回路８５から水道水が供給されることで、三方弁８０が切換わる際の給湯運転の一時的な断水や湯量の変化が防止される。
【００５７】
三方弁８０の接続口Ｃ８０ｃと接続口Ａ８０ａが連通している状態に切換えられると、暖房運転は継続した状態で、貯湯タンク７０内の温度が低下した湯水は、タンク給湯管７２、給湯熱交給水管２１を通り、補助熱源機１５で加熱された後、給湯熱交給湯管２２を経由して温水水栓４に供給される（図８を参照）
【００５８】
（足し湯運転と暖房運転が複合して行われる場合）
足し湯運転と暖房運転が複合して行われる場合については、給湯運転における温水水栓４が開閉するという内容が、湯張り弁３１が開閉するという内容に置き換わるだけであり、その他については同様であるので説明を省略する。
【実施例２】
【００５９】
（概略の構成）
実施例２の補助熱源付貯湯タンク給湯システム２について図９を用いて説明する。補助熱源付貯湯タンク給湯システム２は、実施例１の補助熱源付貯湯タンク給湯システム１の追焚き機構が補助熱源１５に内蔵された追焚き用熱交換器４０ではなく、内部循環回路の内部循環往き管２８と同じ個所で暖房追焚き切換え弁５０により分岐させ、内部循環往き管２８ａと外部に設けた追焚き用熱交換器４０ａに内部循環戻り管２９ａで内部循環戻り管２９の内部循環ポンプ３０の吸い込み側に合流させたものである。よって、補助熱源付貯湯タンク給湯システム１と同様な構成であるので同一の要素には同一の符号を附して説明を省略する。
【００６０】
（補助熱源機）
補助熱源機１５ａの熱交換器部は、給湯用熱交換器２０の受熱部が燃焼機２３で加熱される所謂一缶一水路の熱交換器となっている。給湯用熱交換器２０は熱伝導性の良い銅やステンレス鋼等の金属のパイプの周囲に、銅やステンレス鋼等の金属のフィンを設けて熱交換率を向上させたものとなっている。なお、熱交換器部の排気側にさらに潜熱回収用の熱交換器を設けて補助熱源機１５ａの熱効率を上げる実施方法も可能である。
【００６１】
給湯用熱交換器２０には通水される湯水の入口となる給湯熱交給水管２１と、出口となる給湯熱交給湯管２２が接続されている。また、給湯熱交給水管２１には、上流側から水量センサー２４と給水温度センサー２５が、給湯熱交給湯管２２には給湯用熱交換器２０の通過加熱後の水温を検知する給湯温度センサー２７が設けられている。また、給湯用熱交換器２０の外部金属部表面には給湯用熱交換器２０の過熱を検知する缶体温度センサー２６が設けられている。
【００６２】
燃焼機２３は、天然ガス（ＬＮＧ）やプロパンガス（ＬＰＧ）等の気体燃料や、灯油や重油等の液体燃料を給気側送風機により比較的狭い燃焼室内において高い発熱量を発生させることができ、かつ発熱量が所定の範囲で無段階に調節できる燃料制御手段を有している。そして、燃焼機２３が燃焼することによって発生する燃焼熱を給湯用熱交換器２０の流路に通水された湯水が熱交換されて急加熱される。なお、燃焼機２３は電気ヒーターにより急加熱する方法としても可能である。
【００６３】
（内部循環回路）
給湯熱交給湯管２２には給湯温度センサー２７が設けられた箇所と、暖房追焚き切換え弁５０の間にバイパス管８１が連接されており、暖房追焚き切換え弁５０からは内部循環往き管２８が分岐している。また、給湯熱交給水管２１の途中には、内部循環戻り管２９の分岐部が設けられている。内部循環戻り管２９の途中には内部循環ポンプ３０が設けられており、内部循環ポンプ３０を循環手段として給湯用熱交換器２０、給湯熱交給湯管２２、内部循環往き管２８、暖房用熱交換器６０、内部循環戻り管２９、給湯熱交給水管２１から給湯用熱交換器２０に戻る内部循環回路が形成されている。
【００６４】
さらに、暖房追焚き切換え弁５０からは内部循環往き管２８ａが分岐して、追焚き用熱交換器４０ａを経由して、内部循環戻り管２９ａで内部循環戻り管２９の内部循環ポンプ３０吸込み側に合流する第二の内部循環回路が形成されている。制御基板１０の制御により、暖房追焚き切換え弁５０が切換えられると、内部循環回路または第二の内部循環回路の何れか一方が選択される。
【００６５】
（追焚き機構）
追焚き機構を説明すると、追焚き機構は追焚き用熱交換器４０ａを介して補助熱源機１５ａの給湯用熱交換器２０で加熱される温水を熱源として浴槽６内の湯水を追焚きするものである。追焚き用熱交換器４０ａには追焚き循環往き管４１と追焚き循環戻り管４２が連接され、これが外部の配管を経由して浴槽６に設けられた循環接続金具７にも連接されている。また、追焚き循環戻り管４２の途中には、追焚き温度センサー４４と追焚き水流スイッチ４５が設けられており、追焚き循環往き管４１の途中には追焚き循環ポンプ４３が設けられている。追焚き用熱交換器４０ａを設けるのは、給湯用熱交換器２０で作られた湯は温水水栓４で衛生的に使用される必要があるので、追焚き用熱交換器４０ａを介して浴槽６内の湯水を追焚きさせるためである。このため、追焚き用熱交換器４０ａには二つの循環回路が接続され、二つの循環回路の間で熱交換させるようになっている。一方の循環回路は内部循環ポンプ３０を駆動源として、給湯用熱交換器２０、給湯熱交給湯管２２、暖房追焚き切換え弁５０、内部循環往き管２８ａ、追焚き用熱交換器４０ａ、内部循環戻り管２９ａ、内部循環戻り管２９、給湯熱交給水管２１そして給湯用熱交換器２０に再び戻る第二の内部循環回路であり、第二の内部循環回路により加熱される側のもう一方の循環回路は、追焚き循環ポンプ４３を循環手段として、追焚き用熱交換器４０ａ、追焚き循環往き管４１、循環接続金具７、浴槽６、循環接続金具７、追焚き循環戻り管４２から、再び追焚き用熱交換器４０に戻る追焚き循環回路である。
【００６６】
（追焚き運転）
風呂追焚き運転の動作について説明する。使用者がリモコン１１で風呂追焚きするよう入力した場合には、制御基板１０は内部循環ポンプ３０と追焚き循環ポンプ４３を駆動させる。追焚き循環ポンプ４３を駆動させた場合に、追焚き水流スイッチ４５が所定時間（実施の形態では５秒間）連続してＯＮ状態となっている場合には、制御基板１０は燃焼機２３の燃焼を開始させ、追焚き温度センサー４４の温度情報の元、リモコン１１で設定された追焚き温度まで燃焼を継続させる。追焚き水流スイッチ４５が所定時間（実施の形態では５秒間）連続してＯＮ状態とならない場合は、浴槽６に湯水が入ってないと判断し燃焼を開始せず、リモコン１１に警報の表示を行って追焚き運転を中止する。
【００６７】
貯湯タンク７０の蓄熱運転、給湯運転、湯張り運転、暖房運転、給湯運転と暖房運転が複合して行われる場合については実施例１と同様であるので説明を省略する。
【００６８】
（給湯運転と追焚き運転が複合して行われる場合）
給湯運転と追焚き運転が複合して行われる場合について、実施例２においては、追焚き運転を第二の内部循環回路を用いていることで、実施例１の給湯運転と暖房運転が複合して行われる場合と同様に、給湯運転と追焚き運転が同時に行われて、タンク温度センサー７４で検知する温度がリモコン１１で設定された温度から所定温度（例えば、４ｄｅｇ）以上の温度差があれば、三方弁８０の接続口Ｃ８０ｃと接続口Ａ８０ａが連通している状態から、接続口Ｃ８０ｃと接続口Ｂ８０ｂが連通する状態に切換えて、補助熱源機１５ａを通過させない。そして、タンク温度センサー７４で検知する温度がリモコン１１で設定された温度から所定温度未満の温度差しかない温度を検知し、三方弁８０の接続口Ｃ８０ｃと接続口Ｂ８０ｂが連通する状態から、接続口Ｃ８０ｃと接続口Ａ８０ａが連通している状態に切換える場合には。この三方弁８０を切換える所定の時間の間、電動弁８６を開く動作を行う。
【符号の説明】
【００６９】
１、２：補助熱源付貯湯タンク給湯システム
４：温水水栓
５：温水暖房装置
６：浴槽
７：循環接続金具
１０：制御基板
１１：リモコン
１５、１５ａ：補助熱源機
２０：給湯用熱交換器
２１：給湯熱交給水管
２２：給湯熱交給湯管
２３：燃焼機
２４：水量センサー
２５：給水温度センサー
２６：缶体温度センサー
２７：給湯温度センサー
２８、２８ａ：内部循環往き管
２９、２９ａ：内部循環戻り管
３０：内部循環ポンプ
３１：湯張り弁
３２：湯張り路
３５：逆流防止手段
３６：湯張り水量センサー
３７：逆流防止手段
３８：給水分岐管
３９：温水混合機構
４０、４０ａ：追焚き用熱交換器
４１：追焚き循環往き管
４２：追焚き循環戻り管
４３：追焚き循環ポンプ
４４：追焚き温度センサー
４５：追焚き水流スイッチ
５０：暖房追焚き切換え弁
６０：暖房用熱交換器
６１：暖房循環往き管
６２：暖房循環戻り管
６４：暖房循環ポンプ
６５：温度センサー
７０：貯湯タンク
７１：タンク給水管
７２：タンク給湯管
７４、７５、７６、７７：タンク温度センサー
７８：減圧弁
７９：給水水量センサー
８０：三方弁（切換手段）
８１：バイパス管
８５：迂回管
８６：電動弁
９０：外部熱源
９１：外部熱源熱交換器
９２：外部熱源循環ポンプ
９３：外部熱源循環往き管
９４：外部熱源循環戻り管
９５：外部熱源熱交温度センサー
【図１】
2012180962.tif 000003
【図２】
2012180962.tif 000004
【図３】
2012180962.tif 000005
【図４】
2012180962.tif 000006
【図５】
2012180962.tif 000007
【図６】
2012180962.tif 000008
【図７】
2012180962.tif 000009
【図８】
2012180962.tif 000010
【図９】
2012180962.tif 000011
【手続補正書】
【提出日】平成23年3月3日(2011.3.3)
【手続補正１】
【補正対象書類名】図面
【補正対象項目名】図８
【補正方法】変更
【補正の内容】
【図８】
2012180962.tif 000012
【手続補正２】
【補正対象書類名】図面
【補正対象項目名】図９
【補正方法】変更
【補正の内容】
【図９】
2012180962.tif 000013